(57)【要約】【課題】ネットワーク機器の本体が転倒した時に、各ポートに接続されているコネクタ、およびケーブルを衝撃（圧迫）から保護することができ、外観上もすっきりとするネットワーク機器を提供する。【解決手段】カバー１１（１２）の背面側に突出部１１３１、突出部１１４１を設ける。突出部１１３１、および突出部１１４１は、それぞれ背面から見た断面形状がＬ字形の下面フレーム１１３、および上面フレーム１１４が筐体１の背面方向に延長（突出）されて形成されている。下面フレーム１１３と突出部１１３１の境界面、すなわち背面パネルと同一平面には、下面フレーム１１３の断面Ｌ字内側を補強するリブ板１１５が形成されている。上面フレーム１１４と突出部１１４１の境界面には、上面フレーム１１４の断面Ｌ字内側を補強するリブ板１１６が形成されている。突出部１１３１，１１４１の突出長さは、電源プラグの背面側高さよりも長くなっている。【選択図】図４
2008028562.tif 000002
【特許請求の範囲】
【請求項１】
略直方体形状の筐体と、
前記筐体の背面に配列された複数のポート、および電源ジャックからなるコネクタ部と、
前記筐体上面と、左面および右面の上端の一部と、を一体に前記背面側に延長して形成され、少なくとも前記電源ジャックに挿入される電源プラグの高さよりも長く筐体背面側に突出した上側突出部と、
前記筐体下面と、左面および右面の下端の一部と、を一体に前記背面側に延長して形成され、少なくとも前記電源ジャックに挿入される電源プラグの高さよりも長く筐体背面側に突出した下側突出部と、
を備えたネットワーク機器。
【請求項２】
前記筐体の背面に沿って、前記突出部と前記筐体との境界部分に形成され、前記筐体内側方向に設けられたリブを備えた請求項１に記載のネットワーク機器
【発明の詳細な説明】
【技術分野】
【０００１】
この発明は、多数のコネクタ、ケーブルが接続されるネットワーク機器に関する。
【背景技術】
【０００２】
一般に、ネットワーク機器（例えばスイッチングハブ）は複数の接続ポートを備えており、それぞれのポートにコネクタ、ケーブルを介して情報処理装置等を接続する。このようなネットワーク機器は、省スペースのために小型でかつ縦型のものが多く、接続ポートは、筐体の背面に設けられていることが多い（例えば特許文献１参照）。
【特許文献１】意匠登録第１０９６３８０号公報
【発明の開示】
【発明が解決しようとする課題】
【０００３】
しかしながら、ネットワーク機器に接続されるケーブルは、電源ケーブル、ＬＡＮ用のツイスティッド・ペアケーブル、ＩＳＤＮ・アナログ電話用の４極モジュラケーブル等、太く重量のあるケーブルが多い。そのため、ケーブルの重量がネットワーク機器の背面方向に掛かってしまい、ネットワーク機器のバランスが崩れて転倒してしまうことが有った。
【０００４】
ネットワーク機器が転倒した場合、背面の各ポートに接続されているコネクタ類（特に電源プラグ、およびケーブル）が床面等とネットワーク機器との間に挟まれ、衝撃（圧迫）を受けて破損、断線してしまう危険性が有った。
【０００５】
この発明は、ネットワーク機器の本体が転倒した時に、各ポートに接続されているコネクタ、およびケーブルを衝撃（圧迫）から保護することができ、外観上もすっきりとするネットワーク機器を提供することを目的とする。
【課題を解決するための手段】
【０００６】
この発明のネットワーク機器は、略直方体形状の筐体と、前記筐体の背面に配列された複数のポート、および電源ジャックからなるコネクタ部と、前記筐体上面と、左面および右面の上端の一部と、を一体に前記背面側に延長して形成され、少なくとも前記電源ジャックに挿入される電源プラグの高さよりも長く筐体背面側に突出した上側突出部と、前記筐体下面と、左面および右面の下端の一部と、を一体に前記背面側に延長して形成され、少なくとも前記電源ジャックに挿入される電源プラグの高さよりも長く筐体背面側に突出した下側突出部と、を備えたことを特徴とする。
【０００７】
この構成では、筐体の下面、左右面の下端の一部が背面側に延長された下側突出部を有する。また、筐体の上面、左右面の上端の一部が背面側に延長された上側突出部を有する。これらの突出部は、背面側から見て、断面が略コの字形に形成される。これら突出部は、断面がコの字形に形成されることで高い強度を有し、ルータが転倒した場合の衝撃に耐えられるようになっている。また、突出する長さは、少なくとも電源プラグの高さよりも長くなっており、ネットワーク機器が転倒した時に、突出部の長さ分だけ、機器背面と、床面との間に空間ができ、コネクタ、およびケーブルが筐体と床面との間に挟まれることがなくなる。特に、電源ケーブルと電源プラグの接続部分は、断線することが多く、衝撃、圧迫に弱いが、本発明のネットワーク機器では、高い強度を有する突出部が、転倒時に筐体と床面との間に空間をつくるため、接続部分が衝撃、圧迫を受けることがない。また、突出部は、筐体の下面、上面が背面側に延長され、筐体と一体であるため、見た目にもすっきりとしている。
【０００８】
また、この発明のネットワーク機器は、前記筐体の背面に沿って、前記突出部と前記筐体との境界部分に形成され、前記筐体内側方向に設けられた補強部を備えたことを特徴とする。
【０００９】
この構成では、断面コの字形の突出部と筐体との境界部分に、本体内側方向に形成されたリブ板を有する。これにより、さらに突出部の強度が高くなり、ルータ転倒時にも突出部が破損することはない。
【発明の効果】
【００１０】
この発明によれば、本体が転倒した時に、各ポート（電源ジャック）に接続されているコネクタ（電源プラグ）、およびケーブルを衝撃（圧迫）から保護することができ、外観上もすっきりとする。
【発明を実施するための最良の形態】
【００１１】
以下、本発明の実施形態であるルータについて説明する。
図１はこの発明の実施形態であるルータの外観図であり、同ルータの正面図、右側面図、および背面図を表している。
図２は、同ルータのスタンドを外した状態を示す外観図であり、同ルータの正面図、右側面図、および背面図を表している。
図３は、同ルータのスタンドを外した状態を示す外観図であり、同ルータの上面図、左側面図、および下面図を表している。
図４は同ルータのスタンドを外した状態を示す外観図であり、同ルータの背面右側面から見た斜視図を示している。
図５は、ルータの右側面を覆うカバー１１をルータ内部側（ルータ背面、下面側）からみた斜視図である。
図６は、同ルータの内部構造を示す図であり、右側面図に示したカバーを外した状態を示す。
図１〜図６において、ルータ右側面側をＸ方向、左側面側を−Ｘ方向とし、正面側をＹ方向、背面側を−Ｙ方向とし、上面側をＺ方向、下面側を−Ｚ方向とする。
【００１２】
このルータの筐体は、グレー色の半透明樹脂からなるカバー１１と、黒色の樹脂からなるカバー１２と、を組み合わせてなる本体１、および黒色の樹脂からなるスタンド１０で構成されている。カバー１１およびカバー１２からなる本体１は、回路基板５を収納する。本体１は、スタンド１０と、本体１（カバー１１）の下面側に設置されている丸孔１０１、および図示しないスタンド１０の突出部により係止される。このルータは、筐体の幅に比べて高さが十分に高く、スタンド１０に係止された縦置の状態で安定するようになっている。また、スタンド１０は、下面側が幅広になっており、正面から観察したとき凸型になるように形成されている。なお、本体１とスタンド１０との係止を解除すると、この本体１は、左面側を下にした横置の状態でも安定するようになっている。
【００１３】
本体１の幅（正面から観察したときの側面方向の長さ）は、右側面のカバー１１が左側面のカバー１２よりも十分に長くなっている。また、上記のようにカバー１１は半透明であるため、内部の配線基板やコネクタが透けて見えているが、図１〜図４では筐体の形状を説明するために内部の構造は図示していない。
【００１４】
カバー１１の正面側は一部の位置を除き、黒色の塗料などでマスキングされている。マスキングされていない一部の位置には、筐体内部で点灯部３１が構成されている。この点灯部３１は、回路基板５に実装されたＬＥＤ等からなり、半透明のカバー１１のマスキングされていない一部からＬＥＤの灯りが見えるようになっている。このＬＥＤの灯りにより、電源、通信状態を確認することができる。
また、カバー１１の正面側には、開口部３０１が形成され、この開口部３０１からＵＳＢコネクタ３０が覗くようになっている。
【００１５】
カバー１１の右面側には、３つの開口部２１１が形成され、この開口部２１１にはスイッチ類２１が設置されている。スイッチ類２１は、ＤＳＵオン／オフスイッチ、ターミネートスイッチ、およびノーマル／リバーススイッチからなる。ＤＳＵオン／オフスイッチは、デジタル回線に接続するための終端装置であるＤＳＵをオン／オフするスイッチであり、ターミネートスイッチは、ＩＳＤＮ＿Ｓ／Ｔ点コネクタ２４に終端抵抗を接続して終端処理をするためのスイッチであり、ノーマル／リバーススイッチは、ＩＳＤＮ＿Ｕ点コネクタ２５の入力信号を反転するスイッチである。
【００１６】
背面図において、ルータの背面パネル２には、電源ジャック（ＤＣ−ｉｎ）２０、４個のＬＡＮコネクタ２２、ＷＡＮコネクタ２３、ＩＳＤＮ＿Ｓ／Ｔ点コネクタ２４、ＩＳＤＮ＿Ｕ点コネクタ（ＰＳＴＮ回線コネクタ兼用）２５、２個のアナログ電話コネクタ２６、およびシリアルポート２７が設けられている。電源ジャック２０には、電源プラグ２０１が接続される。ＬＡＮコネクタ２２、ＷＡＮコネクタ２３、ＩＳＤＮ＿Ｓ／Ｔ点コネクタ２４には、それぞれツイスティッド・ペアケーブル（図示せず）が接続され、ＩＳＤＮ＿Ｕ点コネクタ（ＰＳＴＮ回線コネクタ兼用）２５、およびアナログ電話コネクタ２６には４極モジュラケーブル（図示せず）が接続される。また、シリアルポート２７には、Ｄ−ｓｕｂ９ピンのＲＳ−２３２Ｃプラグ２７１が接続される。
【００１７】
次に、図５を用いて、カバー１１の構造について詳細に説明する。カバー１１は、正面側（Ｙ方向）にＺ方向から見て断面がＬ字型の正面フレーム１１２、下面側（−Ｚ方向）にＹ方向から見て断面がＬ字型の下面フレーム１１３、上面側（Ｚ方向）に−Ｙ方向から見て断面がＬ字型の上面フレーム１１４、および右面側（Ｘ方向）に右面平板１１１を備えてなり、正面フレーム１１２には、上記開口部３０１が形成され、下面フレーム１１３には上記丸孔１０１が形成され、右面平板１１には、上記開口部２１１が形成されている。これら正面フレーム１１２、下面フレーム１１３、上面フレーム１１４、および右面平板１１１は、樹脂用の金型により一体成型される。
【００１８】
正面フレーム１１２の下面側の端部は、下面フレーム１１３と一体形成されており、正面フレーム１１２の上面側の端部は、上面フレーム１１４と一体形成されている。また、右面平板１１１は、正面フレーム１１２、下面フレーム１１３、および上面フレーム１１４に囲まれるように一体形成されている。なお、右面平板１１１は、筐体の右面側に膨らんで一体形成されている。また、右面平板部１１１は、複数の小孔を有し、この小孔から回路基板５で発生する熱が放出され易いようになっている。なお、開口部２１１の周囲は筐体内部方向に凹んでいるが、この凹みは開口部２１１とスイッチ類２１との位置を揃えるためである。
【００１９】
断面Ｌ字型の下面フレーム１１３は、筐体背面方向（−Ｙ方向）に、延長（突出）されて突出部１１３１を形成する。また、下面フレーム１１３と突出部１１３１の境界面、すなわち背面パネルと同一平面には、下面フレーム１１３の断面Ｌ字内側を補強するリブ板１１５が形成されている。このリブ板１１５は、Ｙ，−Ｙ方向に対して肉厚の薄い略直方体形状であり、−Ｚ方向の面が下面フレーム１１３のＺ方向面と一体形成され、Ｘ方向の面が下面フレーム１１３の−Ｘ方向面と一体形成されている。
【００２０】
また、断面Ｌ字型の上面フレーム１１４も、筐体背面方向（−Ｙ方向）に、延長（突出）されて突出部１１４１を形成する。上面フレーム１１４と突出部１１４１の境界面、すなわち背面パネルと同一平面には、上面フレーム１１４の断面Ｌ字内側を補強するリブ板１１６が形成されている。このリブ板１１６は、Ｙ，−Ｙ方向に対して肉厚の薄い略直方体形状であり、Ｚ方向の面が上面フレーム１１４の−Ｚ方向面と一体形成され、Ｘ方向の面が上面フレーム１１４の−Ｘ方向面と一体形成されている。
【００２１】
なお、カバー１２の構造についてもカバー１１の構造とほぼ同様であり、カバー１２の下面フレーム１２３には、背面方向に延長された突出部１２３１が形成され、その境界面にリブ板１２５が形成されている。また、カバー１２の上面フレーム１２４にも、背面方向に延長された突出部１２４１が形成され、その境界面にリブ板１２６が形成されている。なお、上述したように、カバー１２の幅（正面から観察したときの側面方向の長さ）は、カバー１１よりも短いため、下面フレーム１２３の幅、および上面フレーム１２４の幅は、上記下面フレーム１１３、および上面フレーム１２４の幅よりも当然に短い。
【００２２】
これらのカバー１１、およびカバー１２で回路基板５、背面パネル２を挟み込むことで、図４に示すように略直方体形状の本体１を形成する。これにより、カバー１１、およびカバー１２からなる本体１は、下面、および上面が、背面側に沿って延長された突出部を有することとなる。この突出部の本体右面側、および左面側の端部は、本体内側方向に、略直角に曲げられて延長され、突出部は、背面側から見て、断面が略コの字形に形成される。これら突出部は、断面がコの字形に形成されることで高い強度を有し、ルータが転倒した場合の衝撃に耐えられるようになっている。また、断面コの字形の突出部と本体との境界部分に、本体内側方向に形成されたリブ板により、さらに強度が高くなり、ルータ転倒時にも突出部が破損することはない。
【００２３】
また、図６に示すように、突出部の突出長さは、電源プラグ２０１を電源ジャック２０に挿した状態で、電源プラグ２０１の背面高さよりも長くなっており、ルータが転倒した時に、突出部の長さ分だけ、ルータ背面と、床面との間に空間ができ、電源プラグ２０１、および電源ケーブルがルータ本体と床面との間に挟まれることがなくなる。特に、電源ケーブルと電源プラグの接続部分は、断線することが多く、衝撃、圧迫に弱いが、本実施形態のルータでは、高い強度を有する突出部が、転倒時に本体と床面との間に空間をつくるため、接続部分が衝撃、圧迫を受けることがない。
【００２４】
また、突出部の突出長さは、ＲＳ−２３２Ｃプラグ２７１の背面高さより短く、ＲＳ−２３２Ｃプラグ２７１のロックネジ２７１１を手で回す場合、妨げにならない。また、上述のように、背面から見て断面がコの字形であるため、このコの字に囲まれる位置に各ポート（この例ではＲＳ−２３２Ｃポート２７）を配置することができ、背面パネルのスペースを有効に活用できる。また、突出部は本体（カバー）と樹脂一体成型であるため、見た目にもすっきりとしている。
【００２５】
以上の構造により、この実施形態のルータは、本体転倒時に各ポートに接続されているコネクタ、およびケーブルを衝撃（圧迫）から保護することができ、外観上もすっきりとする。
【図面の簡単な説明】
【００２６】
【図１】本実施形態のルータの外観図であり、同ルータの正面図、右側面図、および背面図を表している。
【図２】同ルータのスタンドを外した状態を示す外観図であり、同ルータの正面図、右側面図、および背面図を表している。
【図３】同ルータのスタンドを外した状態を示す外観図であり、同ルータの上面図、左側面図、および下面図を表している。
【図４】同ルータのスタンドを外した状態を示す外観図であり、同ルータの背面右側面から見た斜視図を示している。
【図５】ルータの右側面を覆うカバー１１をルータ内部側（ルータ背面、下面側）からみた斜視図である。
【図６】同ルータの内部構造を示す図であり、右側面図に示したカバーを外した状態を示す。
【符号の説明】
【００２７】
１−本体
１１，１２−カバー
１１３，１２３−下面フレーム
１１４，１２４−上面フレーム
１１３１，１１４１，１２３１，１２４１−突出部
１１５，１１６，１２５，１２６−リブ板
【図１】
2008028562.tif 000003
【図２】
2008028562.tif 000004
【図３】
2008028562.tif 000005
【図４】
2008028562.tif 000006
【図５】
2008028562.tif 000007
【図６】
2008028562.tif 000008